(57)【要約】【課題】適切な傾斜角度に容易に取り付けることができ、所望に応じて容易に着脱することができる角度規制部を備えた転倒防止装置を提供する。【解決手段】転倒防止装置は、ダンパ１０が家具Ｆの上面と天井Ｃとの間に軸線が傾斜し設置され第１ベース部３０Ａがダンパ１０の一端部のジョイント部１５に連結し家具Ｆの上面に当接し、第２ベース部３０Ｂがダンパ１０の他端部のジョイント部１５に連結し天井Ｃに当接し、第１ベース部３０Ａの角度規制部７０がダンパ１０の傾斜角度を規制する。第１ベース部３０Ａはダンパ１０のジョイント部１５よりダンパ１０が傾斜する側に挿入孔４９を有し、角度規制部７０は挿入孔４９のジョイント部１５側に挿入されジョイント部１５側に突出して挿入孔４９に係止する爪部７４を具備する第１挿入片７２と、第１挿入片７２と所定の間隔を有し挿入孔４９のジョイント部１５から離れた側に挿入される第２挿入片７７とを具備する。【選択図】図１
2018157878.tif 000002
【特許請求の範囲】
【請求項１】
設置面上に設置された物品の上面と天井との間に軸線が傾斜した状態に取り付けられるダンパと、
前記ダンパの一端部を回動軸周りに回動自在に連結する第１連結部を有し、前記物品の上面に当接する第１ベース部と、
前記ダンパの他端部を回動軸周りに回動自在に連結する第２連結部を有し、前記天井に当接する第２ベース部と、
前記第１ベース部に取り付けられ、前記ダンパの傾斜角度を規制する角度規制部と、
を備え、
前記第１ベース部は、前記第１連結部に対して前記ダンパが傾斜する側に形成される挿入孔を有し、
前記角度規制部は、前記挿入孔の前記第１連結部側に挿入される第１挿入片と、前記第１挿入片に対して所定の間隔を有して設けられて、前記挿入孔の前記第１連結部から離れた側に挿入される第２挿入片とを具備し、
前記第１挿入片は、前記第１連結部側に突出して前記挿入孔に係止する爪部を具備していることを特徴とする転倒防止装置。
【請求項２】
前記第１ベース部は、前記挿入孔の開口縁から垂下し、前記爪部が係止する係止部を具備した壁部を有していることを特徴とする請求項１記載の転倒防止装置。
【請求項３】
前記第２挿入片は、前記第１挿入片の前記爪部の突出方向とは反対側の方向の面の先端部に、先端に向かうに従い前記第１挿入片に近づく方向に傾斜した傾斜面を具備していることを特徴とする請求項１又は２に記載の転倒防止装置。
【発明の詳細な説明】
【技術分野】
【０００１】
本発明は転倒防止装置に関するものである。
【背景技術】
【０００２】
特許文献１は従来の転倒防止装置を開示している。この転倒防止装置はダンパと一対のベース部とを備えている。ダンパは床面上に設置された家具の上面と天井との間に取り付けられている。一対のベース部はダンパの両端部のそれぞれを回動軸周りに回動自在に軸支している。一方のベース部は家具の上面に当接し、他方のベース部は天井に当接している。また、この転倒防止装置はダンパの傾斜角度を最適な角度に設定する治具（角度規制部）を有している。
【０００３】
この転倒防止装置はダンパを直立させた状態で家具の上面に一方のベース部を当接させて載置する。そして、治具を家具の上面に当接させたベース部に合わせて家具の上面に載置する。その後、ダンパを治具に合わせて傾けて、ダンパを最適な角度にして、他方のベース部を天井に当接させる。その後、治具を家具の上面から取り外す。
【０００４】
このようにして、家具の上面と天井との間に取り付けられた転倒防止装置は、地震等の揺れによってダンパの回動方向と平行な方向に家具が傾くと、各ベース部に対してダンパが回動軸周りに回動して各ベース部が家具の上面と天井とに当接した状態を維持することができる。よって、この転倒防止装置は、ダンパの減衰力を家具に作用させることができ、家具の傾きを抑制して家具の転倒を防止することができる。
【先行技術文献】
【特許文献】
【０００５】
【特許文献１】特開２０１５−６３３０号公報
【発明の概要】
【発明が解決しようとする課題】
【０００６】
しかし、特許文献１の転倒防止装置は、治具が載置されているのみであるため、ベース部に対する治具の位置がずれるおそれがある。つまり、この転倒防止装置は、ダンパを適切な傾斜角度にして家具の上面と天井との間に取り付けることが難しい。
【０００７】
本発明は、上記従来の実情に鑑みてなされたものであって、転倒防止装置を取り付ける際に、ダンパを適切な傾斜角度に容易することができ、所望に応じて容易に着脱することができる角度規制部を備えた転倒防止装置を提供することを解決すべき課題としている。
【課題を解決するための手段】
【０００８】
本発明の転倒防止装置は、ダンパ、第１ベース部、第２ベース部、及び角度規制部を備えている。ダンパは設置面上に設置された物品の上面と天井との間に軸線が傾斜した状態に取り付けられる。第１ベース部はダンパの一端部を回動軸周りに回動自在に連結する第１連結部を有し物品の上面に当接する。第２ベース部はダンパの他端部を回動軸周りに回動自在に連結する第２連結部を有し、天井に当接する。角度規制部は第１ベース部に取り付けられ、ダンパの傾斜角度を規制する。また、第１ベース部は、第１連結部に対してダンパが傾斜する側に形成される挿入孔を有し、角度規制部は、挿入孔の連結部側に挿入される第１挿入片と、第１挿入片に対して所定の間隔を有して設けられ、挿入孔の第１連結部から離れた側に挿入される第２挿入片とを具備し、第１挿入片は、第１連結部側に突出して挿入孔に係止する爪部を具備している。
【０００９】
この転倒防止装置は、物品の上面に載置した第１ベース部に取り付けられた角度規制部がダンパの傾斜角度を規制する。このように、この転倒防止装置は、角度規制部が取り付けられた第１ベース部を物品の上面に載置すれば、適切な傾斜角度にダンパを傾斜させることができ、その傾斜角度を維持して第２ベース部を天井に当接させるのみで転倒防止装置を物品の上面と天井との間に適切に取り付けることができる。
【００１０】
また、この転倒防止装置は角度規制部の第１挿入片と第２挿入片とを第１ベース部の挿入孔に挿入して、第１挿入片の爪部を挿入孔に係止する。第１挿入片と第２挿入片との間に所定の間隔が設けられているため、第１挿入片の爪部が挿入孔に挿入される際に、第１挿入片が第２挿入片に近づく方向に撓みつつ挿入孔に挿入される。このため、この転倒防止装置は角度規制部を第１ベース部に容易に取り付けることができる。
【００１１】
また、挿入孔はダンパが傾斜する側に形成されており、角度規制部は第１連結部側の挿入孔に第１挿入片が挿入されている。すなわち、爪部は第１連結部側の挿入孔に係止している。これにより、角度規制部を第１ベース部に取り付けた後、例えば、ダンパが角度規制部に当接し、ダンパによって角度規制部が第１連結部から離れる方向に押された場合、挿入孔に係止した爪部によって、角度規制部が第１ベース部から意図せずに外れることを防止することができる。これに対して、角度規制部を第１ベース部から取り外す場合、角度規制部を第１連結部側に傾けることによって容易に取り外すことができる。
【００１２】
したがって、本発明の転倒防止装置は当該転倒防止装置を適切な傾斜角度に容易にすることができ、所望に応じて角度規制部を容易に着脱することができる。
【００１３】
本発明の転倒防止装置の第１ベース部は、壁部を有し得る。壁部は挿入孔の開口縁から垂下し、爪部が係止する係止部を具備し得る。この場合、この転倒防止装置は、壁部によって、第１挿入片及び第２挿入片を案内することができる。これにより、この転倒防止装置は、第１ベース部に対する角度規制部の向きを所定の向きに規制することができる。また、この転倒防止装置は壁部に設けられた係止部に第１挿入片の爪部を係止することができる。これにより、この転倒防止装置は、第１挿入片の爪部と共に係止部の位置や形状を所望に応じて容易に変更することができる。
【００１４】
本発明の転倒防止装置の第２挿入片は、第１挿入片の爪部の突出方向とは反対側の方向の先端部に、先端に向かうに従い第１挿入片に近づく方向に傾斜した傾斜面を具備し得る。この場合、この転倒防止装置は第２挿入片を第１ベース部の挿入孔に挿入する際、第２挿入片の傾斜面によって第２挿入片を挿入孔に良好に案内することができる。これにより、この転倒防止装置は角度規制部を第１ベース部に容易に取り付けることができる。
【図面の簡単な説明】
【００１５】
【図１】実施形態の転倒防止装置を家具の上面と天井との間に取り付けた状態を示す側面図である。
【図２】実施形態の転倒防止装置を家具の上面と天井との間に取り付けた状態を示す正面図である。
【図３】実施形態の転倒防止装置のダンパ及び第１ベース部を示す部分断面図である。
【図４】実施形態のダンパ、及び第１ベース部を示す分解斜視図である。
【図５】実施形態の転倒防止装置のダンパ、第１ベース部、及び角度規制部を示す部分断面図である。
【発明を実施するための形態】
【００１６】
本発明の転倒防止装置を具体化した実施形態について、図面を参照しつつ説明する。
【００１７】
＜実施形態＞
実施形態の転倒防止装置は、図１に示すように、家具Ｆの上面と天井Ｃとの間に少なくとも１個以上が取り付けられる。この家具Ｆは、床面（図示せず）から鉛直方向に伸びた壁面Ｗに背面を対向させて床面上に設置されている。また、この家具Ｆは、直方体形状であり、正面（図１における右側面）に図示しない扉や引き出し等を有し、内部に衣類や装身具等を収納することができる。家具Ｆは、水平断面形状が左右方向（図１において奥行き方向）に長い長方形状である。この家具Ｆは、転倒防止装置が取り付けられていない場合、地震等の揺れによって、前方向（図１において右方向）に傾いて転倒するおそれがある。
【００１８】
転倒防止装置は、図１及び図２に示すように、ダンパ１０、一対のベース部３０Ａ，３０Ｂ、及び角度規制部７０を備えている。
【００１９】
ダンパ１０は、シリンダ１１、図示しないロッドガイド、図示しないピストン、ロッド１３、及び両端に設けられた２個のジョイント部１５を有している。シリンダ１１は有底筒状である。ロッドガイドはシリンダ１１の開口部を封鎖している。ピストンはシリンダ１１内に摺動自在に挿入されている。ロッド１３は基端部がピストンに連結されている。また、ロッド１３はロッドガイドを挿通して先端側がシリンダ１１の外部へ突出している。シリンダ１１は作動油及び圧縮ガスを封入している。各ジョイント部１５は、図１〜図３に示すように、平板状の金具を折り曲げて形成されている。また、各ジョイント部１５はシリンダ１１の底部とロッド１３の先端部に接続されている。各ジョイント部１５はダンパ１０の軸線に直交する方向に貫通した貫通孔１５Ａが形成されている（図３参照。）。
【００２０】
ダンパ１０は収縮動作時に発生する減衰力が伸長動作時に発生する減衰力よりも大きい圧効きダンパである。ここで、ダンパ１０の伸長動作とは、シリンダ１１からロッド１３の突出する長さ（ダンパ１０の全長）が長くなっていく動作を意味する。また、ダンパ１０の収縮動作とは、シリンダ１１からロッド１３の突出する長さ（ダンパ１０の全長）が短くなっていく動作を意味する。また、ダンパ１０にはシリンダ１１に封入した圧縮ガスの膨張力が伸長方向に働いている。つまり、ダンパ１０は伸長方向に付勢力を発生する。
【００２１】
ダンパ１０の減衰力が発生するメカニズムは、周知の構造であるため、図示を省略して説明する。シリンダ１１は、内部がピストンによって、ロッド１３の基端部が収納されているロッド側圧力室と、反ロッド側圧力室とに仕切られている。ピストンには両圧力室間を連通させる絞り弁であるオリフィスが形成されている。オリフィスは、ダンパ１０の伸縮動作に伴うロッド側圧力室と反ロッド側圧力室との間の作動油の流れに抵抗を付与して減衰力を発生する減衰力発生部として機能する。また、ピストンには逆止弁を介して両圧力室間を連通する連通路が形成されている。逆止弁は、ロッド側圧力室から反ロッド側圧力室への作動油の流れを許容し、その逆の流れを阻止する。このため、ダンパ１０の伸長動作時は、ロッド側圧力室から反ロッド側圧力室への作動油の流路経路が、オリフィスと連通路の経路になる。一方、ダンパ１０の収縮動作時は、反ロッド側圧力室からロッド側圧力室への作動油の流路経路がオリフィスのみとなる。このため、ダンパ１０の伸長動作時に発生する減衰力は、収縮動作時に発生する減衰力よりも小さくなる。
【００２２】
一対のベース部３０Ａ，３０Ｂは、図１及び図２に示すように、ダンパ１０の一端部であり、シリンダ１１の底部に接続された第１連結部であるジョイント部１５を連結した第１ベース部３０Ａであり、ダンパ１０の他端部であり、ロッド１３の先端部に接続された第２連結部であるジョイント部１５を連結した第２ベース部３０Ｂである。第１ベース部３０Ａは家具Ｆの上面に当接して載置され、第２ベース部３０Ｂは天井Ｃに当接する。第１ベース部３０Ａ及び第２ベース部３０Ｂは同じ形態及び構造である。各ベース部３０Ａ，３０Ｂは、図１〜図４に示すように、ベース部本体３１、回動軸部材であるボルト４５及びナット４７、ブッシュ３５、及び滑り止め部３７を有している。
【００２３】
家具Ｆの上面に当接して載置された状態で第１ベース部３０Ａを上方から見た平面視において、ベース部本体３１は長方形状の外形である（以下、この平面視におけるベース部本体３１の外形において長辺が延びている方向を「長辺方向」と言い、短辺が延びている方向を「短辺方向」と言う。）。また、家具Ｆの上面に当接して載置された状態で第１ベース部３０Ａを短辺方向に見た側面視において、ベース部本体３１は、下端縁が家具Ｆの上面に平行に直線状に伸びており、上端縁が下端縁の両側から上方に膨らんだ円弧状の外形である（図１参照）。また、家具Ｆの上面に当接して載置された状態で第１ベース部３０Ａを長辺方向に見た側面視において、ベース部本体３１は下端縁よりも上端縁が短いほぼ台形状の外形である（図２、３参照）。
【００２４】
家具Ｆの上面に当接して載置された状態の第１ベース部３０Ａにおいて、ベース部本体３１には上面に長辺方向（図１における左右方向であり、図２、３における奥行き方向）に伸びた溝部４１が形成されている。溝部４１は、底面４１Ａが水平面上に広がり、内壁面４１Ｂが底面４１Ａの両側にほぼ鉛直方向に立ち上がっている。溝部４１の底面４１Ａはベース部本体３１の上下方向のほぼ中央に伸びている。また、溝部４１の底面４１Ａは、後述する一対の凸部４３，４３が形成されている部分を除き、幅が一定に形成されている。
【００２５】
溝部４１には、図４に示すように、長辺方向の中央部に溝部４１の底面４１Ａ及び両内壁面４１Ｂ，４１Ｂから突出した一対の凸部４３，４３が形成されている。これら凸部４３，４３には、図２、３に示すように、その間にダンパ１０のジョイント部１５及び後述するブッシュ３５が嵌まり込む空間が形成されている。この空間は溝部４１に連通している。一対の凸部４３，４３の内壁面４３Ａ，４３Ａ同士の間隔（空間の短辺方向の長さ）は後述するブッシュ３５の長さよりも僅かに大きい。また、一対の凸部４３，４３は上部中央に後述するボルト４５の軸部４５Ｂが挿通する挿通孔４３Ｂが短辺方向に貫通している。
【００２６】
溝部４１は、図４に示すように、底面４１Ａに貫通して設けられた挿入孔４９が形成されている。挿入孔４９は凸部４３から所定の距離を設けて形成されている。挿入孔４９と凸部４３との所定の距離は所望に応じて変更自在である。挿入孔４９は上方からの平面視において、溝部４１の幅方向に伸びた長方形状である。挿入孔４９は後述する角度規制部７０に設けられた第１挿入片７２及び第２挿入片７７が挿入される。
【００２７】
また、図１、５に示すように、挿入孔４９には一対の壁部４９Ａが設けられている。これら壁部４９Ａは挿入孔４９の開口縁４９Ｃから垂下している（図５参照。）。具体的には、これら壁部４９Ａは長辺方向に対向した挿入孔４９の対向する一対の辺から垂下して設けられている。また、これら壁部４９Ａの互いに対向する側には案内面４９Ｄが形成されている。また、これら壁部４９Ａのそれぞれの案内面４９Ｄの反対側は、挿入孔４９の開口縁４９Ｃから下方向に向かうにつれて、それぞれの案内面４９Ｄに近づくように形成されている。また、長方形状をなした挿入孔４９の開口縁４９Ｃには、上方向に広がるように第１傾斜面４９Ｂが形成されている（図５参照。）。また、これら壁部４９Ａの下端は水平方向に伸びる先端面４９Ｅが形成されている。
【００２８】
図４に示すように、家具Ｆの上面に当接して載置された状態の第１ベース部３０Ａにおいて、ベース部本体３１には、長辺方向の中央部であって、溝部４１の両側に窪み部４２が形成されている。この窪み部４２には上方向と短辺方向の外方向に開口している。また、この窪み部４２には凸部４３を貫通した挿通孔４３Ｂが側面に開口している。また、この窪み部４２は後述するボルト４５の頭部４５Ａと、このボルト４５にねじ込まれたナット４７のそれぞれが配置される。また、この窪み部４２は、上方に向かうにつれて長辺方向に拡がるように形成されている。これにより、ボルト４５の頭部４５Ａ、及びナット４７のそれぞれに上方から工具を嵌合させ易い。
【００２９】
ベース部本体３１は、図１、３、５に示すように、空洞である。また、このベース部本体３１は、家具Ｆの上面に当接して載置された状態の第１ベース部３０Ａにおいて、下方に開口している。
【００３０】
回動軸部材は、図２〜４に示すように、ベース部本体３１の挿通孔４３Ｂの一方から挿入されたボルト４５と、このボルト４５の軸部４５Ｂにねじ込まれたナット４７とから構成されている。ボルト４５の中心軸が各ベース部３０Ａ，３０Ｂにおけるダンパ１０の回動軸になる。また、ボルト４５に替えて円柱状のピンとし、ナット４７に替えてプッシュナットとする構成であってもよい。
【００３１】
ブッシュ３５は、図３に示すように、ほぼ円筒状である。ブッシュ３５は弾性体である。ブッシュ３５の長さはベース部本体３１に設けられた一対の凸部４３，４３の内壁面４３Ａ，４３Ａ同士の間隔よりも僅かに小さい。ブッシュ３５には中央部の外周面を一周した凹部３５Ａが形成されている。この凹部３５Ａの外径はダンパ１０のジョイント部１５に形成された貫通孔１５Ａの内径よりも僅かに小さい。ブッシュ３５の凹部３５Ａの両端から立ち上がった部分の外径はダンパ１０のジョイント部１５に形成された貫通孔１５Ａの内径よりも大きい。また、ブッシュ３５の両端部の外周面３５Ｂは外方向に縮径している。このため、ブッシュ３５はダンパ１０のジョイント部１５に形成された貫通孔１５Ａに弾性変形させながら挿入される。そして、ブッシュ３５は、貫通孔１５Ａに凹部３５Ａが嵌まり込んで、ダンパ１０のジョイント部１５に取り付けられる。
【００３２】
ブッシュ３５は中央部の内径がボルト４５の軸部４５Ｂの外径よりも僅かに大きい。また、ブッシュ３５は両端部の内周面３５Ｃが外方向に拡径している。このため、このブッシュ３５はボルト４５の軸部４５Ｂ周りに回動自在である。また、このブッシュ３５は、拡径した両端部の内周面３５Ｃがボルト４５の軸部４５Ｂの外周面に当接する範囲で、ボルト４５の軸部４５Ｂに対して傾くことができる。つまり、ブッシュ３５をジョイント部１５に取り付けたダンパ１０は、ボルト４５の軸部４５Ｂ周りに回動自在であり、回動方向に交差する方向に揺動自在である。具体的には、寸法上の余裕と内周面３５Ｃの拡径によって揺動する。さらに、ブッシュ３５が弾性変形することによって、ダンパ１０は回動方向に交差する方向に、より大きく揺動することができる。
【００３３】
滑り止め部３７は、図１〜図４に示すように、ベース部本体３１の外形に対して僅かに大きい相似形（長方形状）の外形である。滑り止め部３７はゴムや可撓性を有した熱可塑性樹脂等で形成されている。また、滑り止め部３７は、家具Ｆの上面に当接して載置された状態の第１ベース部３０Ａにおいて、ベース部本体３１の下端開口に嵌合される。また、滑り止め部３７はほぼ平板である。詳しくは、滑り止め部３７は、家具Ｆの上面又は天井Ｃに当接する面が平坦に形成されている。
【００３４】
ここで、ダンパ１０と各ベース部３０Ａ，３０Ｂとの組み付け工程について説明する。
【００３５】
まず、ダンパ１０の両端に設けられた２個のジョイント部１５に形成された各貫通孔１５Ａにブッシュ３５を嵌め込み、ブッシュ３５をダンパ１０のジョイント部１５に取り付ける。次に、ブッシュ３５を取り付けたダンパ１０のジョイント部１５の一方をベース部本体３１に形成された一対の凸部４３，４３の間に挿入する。そして、ボルト４５の軸部４５Ｂをベース部本体３１の挿通孔４３Ｂ及びブッシュ３５に挿通させ、ボルト４５の軸部４５Ｂにナット４７をねじ込む。このようにして、ダンパ１０のジョイント部１５の一方にベース部本体３１を連結する。ダンパ１０のジョイント部１５の他方も同様にベース部本体３１を連結する。この状態で、図３に示すように、ボルト４５の頭部４５Ａとナット４７（回動軸部材の両端部）はダンパ１０の中心軸に対称な位置でベース部本体３１の窪み部４２内で露出している。そして、ダンパ１０の両端部に連結されたそれぞれのベース部本体３１に滑り止め部３７を嵌合させて、ダンパ１０と各ベース部３０Ａ，３０Ｂとの組み付け工程を終了する。
【００３６】
このように組み付けられたダンパ１０と各ベース部３０Ａ，３０Ｂは、図３に示すように、ボルト４５の軸部４５Ｂに対してブッシュ３５が回動自在である。このため、各ベース部３０Ａ，３０Ｂはジョイント部１５を有し、ダンパ１０の両端部のそれぞれを回動軸周りに回動自在に連結している。また、ブッシュ３５は、両端部の内周面３５Ｃが外方向に拡径している。このため、ブッシュ３５の拡径した両端部の内周面３５Ｃがボルト４５の軸部４５Ｂの外周面に当接する範囲で、ブッシュ３５が回動軸に対して傾くことができる。具体的には、寸法上の余裕と内周面３５Ｃの拡径によって揺動する。さらに、ブッシュ３５は、弾性体であり、弾性変形することによって、ダンパ１０は回動方向に交差する方向に、より大きく揺動することができる。このように、各ベース部３０Ａ，３０Ｂに連結されたダンパ１０は回動方向と交差する方向に揺動することができる。
【００３７】
角度規制部７０は、図１、２、５に示すように、第１ベース部３０Ａに着脱自在に取り付けられる。このため、この転倒防止装置は梱包時等に角度規制部７０を第１ベース部３０Ａから取り外すことによって、嵩張らないようにすることができる。角度規制部７０は、第１ベース部３０Ａに取り付けられた状態で、ほぼ鉛直方向に伸びた規制部７１と、規制部７１の下端に設けられ、規制部７１の傾倒を防止する支持部７３と、第１ベース部３０Ａの挿入孔４９に挿入し、角度規制部７０を第１ベース部３０Ａに取り付ける第１挿入片７２及び第２挿入片７７とを有している。
【００３８】
規制部７１は、柱状をなして上下方向に伸びている。規制部７１は、第１ベース部３０Ａに角度規制部７０を取り付けた状態で、上端から下端に向かうにつれてベース部３０Ａにおける長辺方向の寸法が徐々に大きく形成されている。規制部７１は、家具Ｆの上面に当接して載置された第１ベース部３０Ａに角度規制部７０を取り付けた状態において、上端部に受け部７１Ａが設けられている。受け部７１Ａは半円環状をなしている。受け部７１Ａは半円環状の中央部を規制部７１の上端部に連結している。受け部７１Ａは、第１ベース部３０Ａに角度規制部７０を取り付けた状態で、半円環状の両端部のそれぞれが規制部７１の上端部から第１ベース部３０Ａにおける短辺方向に向けて伸びつつ、ダンパ１０のシリンダ１１の方向に向けて伸びている。受け部７１Ａは、第１ベース部３０Ａに角度規制部７０を取り付けた状態で、半円環状の内側がダンパ１０のシリンダ１１の外周の一部を囲むように配置される。
【００３９】
規制部７１は、ダンパ１０のシリンダ１１が受け部７１Ａに当接することによって、ダンパ１０を所定の傾斜姿勢にして、ダンパ１０がその傾斜姿勢より倒れないように傾斜角度を規制する。ダンパ１０の傾斜角度は１５°〜２５°が好ましい。受け部７１Ａは、シリンダ１１をしっかりと保持しないため、地震等の揺れによって家具Ｆが傾いたり揺れたりした際に生じるダンパ１０の動きを拘束しない。つまり、この転倒防止装置は、地震等の揺れによって家具Ｆが揺れたり、傾いたりした際に、各ベース部３０Ａ，３０Ｂに対してダンパ１０が回動軸周りに回動自在であり、回動方向に交差する方向に揺動自在である。
【００４０】
支持部７３は平板状をなして一方向に伸びている。支持部７３は規制部７１が伸びる方向に対して平板状に伸びる方向がほぼ直交している。支持部７３は規制部７１の下端に平板状の一方の面を当接して規制部７１に連結されている。支持部７３が伸びる方向はベース部３０Ａにおける長辺方向である。支持部７３は、後述する第１挿入片７２、及び第２挿入片７７が第１ベース部３０Ａの挿入孔４９に挿入されると、ベース部本体３１に形成された溝部４１の底面４１Ａに他方の面が当接する。
【００４１】
第１挿入片７２及び第２挿入片７７は、図５に示すように、それぞれ平板状をなしている。また、第２挿入片７７は第１挿入片７２に対して所定の間隔を有して設けて、支持部７３の他方の面から垂下している。これら第１挿入片７２及び第２挿入片７７は平板状の板厚方向を支持部７３が一方向に伸びる方向に向けている。また、これら第１挿入片７２及び第２挿入片７７は、第１ベース部３０Ａに角度規制部７０を取り付けた状態で、第１挿入片７２がダンパ１０側に位置し、第２挿入片７７が第１挿入片７２よりもダンパ１０から離れた位置に配置されている。そして、第２挿入片７７は一方向に伸びる支持部７３の中央より僅かにダンパ１０側に位置している。また、第１ベース部３０Ａに角度規制部７０を取り付けた状態で、第１ベース部３０Ａの一対の凸部４３と挿入孔４９との間の寸法に対して、第１挿入片７２の基端から一方向（図５において左方向）に伸びる支持部７３の一端までの寸法は小さく、第２挿入片７７の基端から他方向（図５において右方向）に伸びる支持部７３の他端までの寸法は大きい（図５参照。）。
【００４２】
また、支持部７３の他方の面から垂下した第１挿入片７２の先端部には爪部７４が設けられている。具体的には、爪部７４は、第１ベース部３０Ａに角度規制部７０を取り付けた状態で、第１挿入片７２の平板状の先端縁の全体に亘り設けられ、ダンパ１０のシリンダ１１のジョイント部１５側に向けて突出している。爪部７４において、第１挿入片７２の平板状の基端側に、支持部７３に対してほぼ平行をなした平面７８が形成されている。また、爪部７４はダンパ１０側に向かうに従い平面７８に近づくように傾斜した第２傾斜面７５が形成されている。爪部７４は第２挿入片７７には設けられていない。また、支持部７３の他方の面から垂下した第２挿入片７７の先端部には傾斜面である第３傾斜面７６が形成されている。具体的には、第３傾斜面７６は、爪部７４の突出する方向とは反対側の第２挿入片７７の面の先端部の全体に亘り設けられている。また、第３傾斜面７６は、第２挿入片７７の先端に向かうに従い第１挿入片７２に近づく方向に傾斜している。また、第１挿入片７２と第２挿入片７７との間に設けられた所定の間隔は、第１挿入片７２からダンパ１０側に爪部７４が突出する寸法より大きい。
【００４３】
次に、こうして形成された角度規制部７０を第１ベース部３０Ａに取り付ける取付け方法を説明する。
【００４４】
先ず、規制部７１の半円環状の受け部７１Ａをダンパ１０のシリンダ１１の外周の一部を囲むようにし、支持部７３の他方の面を第１ベース部３０Ａの溝部４１の底面４１Ａに対向させる。そして、第１挿入片７２、及び第２挿入片７７を挿入孔４９に挿入する。このとき、第１挿入片７２の爪部７４の第２傾斜面７５、及び第２挿入片７７の第３傾斜面７６が挿入孔４９の第１傾斜面４９Ｂに当接することによって、挿入孔４９に第１挿入片７２、及び第２挿入片７７を案内する。
【００４５】
そして、挿入孔４９に対して第１挿入片７２、及び第２挿入片７７を挿入する方向（図５において下方向）に押し込むと、第１挿入片７２の先端部が、第２挿入片７７側（図５において右方向）に撓み、第１挿入片７２及び第２挿入片７７の先端部の互いの間の間隔が狭くなる。そして、第１挿入片７２からダンパ１０側に向けて突出する爪部７４の先端がダンパ１０側に位置する壁部４９Ａの案内面４９Ｄに当接しつつ、第１挿入片７２及び第２挿入片７７が挿入孔４９に挿入される。つまり、角度規制部７０は、挿入孔４９に挿入した際、挿入孔４９のジョイント部１５側に挿入される第１挿入片７２と、挿入孔４９のジョイント部１５から離れた側に挿入される第２挿入片７７とを具備している。
【００４６】
そして、爪部７４の平面７８の位置が壁部４９Ａの先端面４９Ｅの位置より下側に到達すると、第２挿入片７７側に撓んでいた第１挿入片７２が撓む前の位置に復元し、爪部７４の平面７８が先端面４９Ｅに対向する（又は当接する。）。このとき、第１挿入片７２及び第２挿入片７７は一対の壁部４９Ａの案内面４９Ｄに沿うように配置されているため、第１ベース部３０Ａに対して角度規制部７０が傾倒することを抑える。こうして、第１挿入片７２は、挿入孔４９の先端面４９Ｅと爪部７４によって係止する。つまり、壁部４９Ａの先端面４９Ｅは爪部７４が係止する係止部である。なお、第１挿入片７２及び第２挿入片７７はそれぞれの板厚を変更することによって、所望の撓み易さに調節自在である。
【００４７】
なお、第１ベース部３０Ａの一対の凸部４３と挿入孔４９との間の寸法に対して、第１挿入片７２から一方向に伸びる支持部７３の一端までの寸法は小さく、第２挿入片７７から一方向に伸びる支持部７３の他端までの寸法は大きい。これにより、第１ベース部３０Ａに対して一方向に伸びる支持部７３の向きを反転させて、角度規制部７０を第１ベース部３０Ａに取り付けようとしても、第１ベース部３０Ａの一対の凸部４３と挿入孔４９との間の寸法に対して、第２挿入片７７から一方向に伸びる支持部７３の他端までの寸法が大きいため、取り付けることができない。これにより、第１ベース部３０Ａに対する角度規制部７０の向きを所定の向きにして取り付けることができる。
【００４８】
こうして第１ベース部３０Ａに取り付けられた角度規制部７０は、例えば、受け部７１Ａがダンパ１０から離れる方向に押された場合、第１挿入片７２の爪部７４が壁部４９Ａの先端面４９Ｅに係止しているため、第１ベース部３０Ａから外れ難い。これに対して、受け部７１Ａがダンパ１０に近づく方向に押された場合、第２挿入片７７が壁部４９Ａに係止していないため、角度規制部７０は第１ベース部３０Ａから外れ易い。なお、爪部７４が第１挿入片７２からダンパ１０側に突出する寸法を調節することによって、角度規制部７０の第１ベース部３０Ａからの外れ易さを調節することができる。この場合、第１挿入片７２と第２挿入片７７との間に設けられた所定の間隔も、爪部７４が第１挿入片７２からダンパ１０側に突出した寸法に応じて調節する。
【００４９】
次に、この転倒防止装置を壁面Ｗに背面を対向させて床面上に設置された家具Ｆの上面と天井Ｃとの間に取り付ける取付け方法について説明する。
【００５０】
先ず、第１ベース部３０Ａのベース部本体３１に形成された挿入孔４９に角度規制部７０の第１挿入片７２、及び第２挿入片７７を挿入し、第１ベース部３０Ａに角度規制部７０を取り付ける。
【００５１】
次に、角度規制部７０が取り付けられた第１ベース部３０Ａを、家具Ｆの壁面Ｗ側の上面に滑り止め部３７を当接させて載置する。この際、角度規制部７０はダンパ１０より家具Ｆの正面側に配置する。また、第１ベース部３０Ａを家具Ｆの上面に載置した状態で、第１ベース部３０Ａのボルト４５の軸部４５Ｂ（回動軸）は、家具Ｆが地震等の揺れによって傾く方向に対して直交する方向に伸びている。つまり、地震等の揺れによって家具Ｆが前方（図１において右方向）に傾いた際に、第１ベース部３０Ａが家具Ｆの上面に当接した状態を維持することができるように、第１ベース部３０Ａは家具Ｆの上面に載置される。
【００５２】
次に、転倒防止装置のダンパ１０を圧縮する。このとき、この転倒防止装置はダンパ１０を第２ベース部３０Ｂと天井Ｃとの間に隙間が設けられる程度圧縮する。そして、ダンパ１０のシリンダ１１が角度規制部７０の受け部７１Ａに当接するようにダンパ１０を傾斜させる。この状態で、ダンパ１０は傾斜角度を鉛直方向に対して１５°〜２５°の間の適正な角度に設定する。つまり、挿入孔４９はダンパ１０を家具Ｆの上面と天井Ｃとの間に軸線が傾斜した状態に取り付けた際、第１ベース部３０のジョイント部１５に対してダンパ１０が傾斜する側に形成されていることになる。そして、第２ベース部３０Ｂのボルト４５の軸部４５Ｂ（回動軸）が、第１ベース部３０Ａのボルト４５の軸部４５Ｂ（回動軸）と平行になるように、第２ベース部３０Ｂの向きを正す。この状態で、ダンパ１０の圧縮を止めるとダンパ１０が付勢力により伸長し、第２ベース部３０Ｂが天井Ｃに当接する（図１、２参照。）。つまり、各ベース部３０Ａ，３０Ｂは家具Ｆの上面と天井Ｃとにそれぞれが当接する。こうして、この転倒防止装置はダンパ１０を設置面上に設置された家具Ｆの上面と天井Ｃとの間に鉛直方向に対して伸縮方向が所定の角度をなして取り付けることができる。つまり、ダンパ１０は、第１ベース部３０Ａに取り付けられた角度規制部７０によって傾斜角度が規制されて、設置面上に設置された家具Ｆの上面と天井Ｃとの間に軸線が傾斜した状態に取り付けられる。なお、取り付け作業を完了した後、第１ベース部３０Ａから角度規制部７０を取り外しても良く、取り付けたままにしても良い。
【００５３】
こうして、この転倒防止装置は、角度規制部７０が取り付けられた第１ベース部３０Ａを家具Ｆの上面に載置すれば、適切な傾斜角度にダンパ１０を傾斜させることができ、ダンパ１０の傾斜角度を維持して第２ベース部３０Ｂを天井Ｃに当接させるのみで転倒防止装置を家具Ｆの上面と天井Ｃとの間に適切に取り付けることができる。
【００５４】
家具Ｆの上面と天井Ｃとの間に取り付けられた転倒防止装置は、天井Ｃ側から家具Ｆの上面側に伸びたダンパ１０の軸線が下り傾斜し、かつ上方から見た平面視において地震等の揺れによって家具Ｆが傾く方向（図１において右方向）と平行にダンパ１０の軸線が伸びた状態にダンパ１０が取り付けられる。このため、地震等の揺れによって家具Ｆが前方（図１において右方向）に傾いて、家具Ｆの上面が天井Ｃに近づくと、ダンパ１０が確実に収縮動作して減衰力を発生する。これにより、この転倒防止装置はダンパ１０で発生した減衰力を家具Ｆに作用させることができる。
【００５５】
このように、この転倒防止装置は、家具Ｆの上面に載置した第１ベース部３０Ａに取り付けられた角度規制部７０がダンパ１０の傾斜角度を規制する。このように、この転倒防止装置は、角度規制部７０が取り付けられた第１ベース部３０Ａを家具Ｆの上面に載置すれば、適切な傾斜角度にダンパ１０を傾斜させることができ、その傾斜角度を維持して第２ベース部３０Ｂを天井Ｃに当接させるのみで転倒防止装置を家具Ｆの上面と天井Ｃとの間に適切に取り付けることができる。
【００５６】
また、この転倒防止装置は角度規制部７０の第１挿入片７２と第２挿入片７７とを第１ベース部３０Ａの挿入孔４９に挿入して、第１挿入片７２の爪部７４を挿入孔４９に係止する。第１挿入片７２と第２挿入片７７との間に所定の間隔が設けられているため、第１挿入片７２の爪部７４が挿入孔４９に挿入される際に、第１挿入片７２が第２挿入片７７に近づく方向に撓みつつ挿入孔４９に挿入される。このため、この転倒防止装置は角度規制部７０を第１ベース部３０Ａに容易に取り付けることができる。
【００５７】
また、挿入孔４９はダンパ１０が傾斜する側に形成されており、角度規制部７０はジョイント部１５側の挿入孔４９に第１挿入片７２が挿入されている。すなわち、爪部７４はジョイント部１５側の挿入孔４９に係止している。これにより、角度規制部７０を第１ベース部３０Ａに取り付けた後、ダンパ１０が角度規制部７０に当接し、ダンパ１０によって角度規制部７０がジョイント部１５から離れる方向に押された場合、挿入孔４９に係止した爪部７４によって、角度規制部７０が第１ベース部３０Ａから意図せずに外れることを防止することができる。これに対して、角度規制部７０を第１ベース部３０Ａから取り外す場合、角度規制部７０をジョイント部１５側に傾けることによって容易に取り外すことができる。
【００５８】
したがって、この転倒防止装置は当該転倒防止装置を適切な傾斜角度に容易にすることができ、所望に応じて角度規制部７０を容易に着脱することができる。
【００５９】
また、この転倒防止装置の第１ベース部３０Ａは、壁部４９Ａを有している。壁部４９Ａは挿入孔４９の開口縁４９Ｃから垂下し、爪部７４が係止する先端面４９Ｅを具備している。このため、この転倒防止装置は、壁部４９Ａによって、第１挿入片７２及び第２挿入片７７を案内することができる。これにより、この転倒防止装置は、第１ベース部３０Ａに対する角度規制部７０の向きを所定の向きに規制することができる。また、この転倒防止装置は壁部４９Ａに設けられた先端面４９Ｅに第１挿入片７２の爪部７４を係止することができる。これにより、この転倒防止装置は、第１挿入片７２の爪部７４と共に先端面４９Ｅの位置や形状を所望に応じて容易に変更することができる。
【００６０】
また、この転倒防止装置の第２挿入片７７は、第１挿入片７２の爪部７４の突出方向とは反対側の方向の先端部に、先端に向かうに従い第１挿入片７２に近づく方向に傾斜した第３傾斜面７６を具備している。このため、この転倒防止装置は第２挿入片７７を第１ベース部３０Ａの挿入孔４９に挿入する際、第２挿入片７７の第３傾斜面７６によって第２挿入片７７を挿入孔４９に良好に案内することができる。これにより、この転倒防止装置は角度規制部７０を第１ベース部３０Ａに容易に取り付けることができる。
【００６１】
本発明は上記記述及び図面によって説明した実施形態に限定されるものではなく、例えば次のような実施形態も本発明の技術的範囲に含まれる。
（１）実施形態では、転倒防止装置を家具に対して取り付けたが、地震等の揺れによって転倒するおそれのある、書棚、冷蔵庫等の物品に対して取り付けてもよい。
（２）実施形態では、転倒防止装置を壁面に背面を対向させて床面上に載置された家具に対して取り付けたが、壁面に隣接させずに床面上に載置された家具等に対して取り付けてもよい。
（３）実施形態では、各ベース部がダンパの両端部のそれぞれを回動軸周りに回動自在、かつ回動方向に交差する方向に揺動自在に連結していたが、回動自在に連結しなくてもよいし、揺動自在に連結しなくてもよい。
（４）実施形態では、圧効きダンパを利用したが、収縮動作時に所定の減衰力を発揮するものであれば、両効きダンパであってもよい。
（５）実施形態では、シリンダ内に作動油及び圧縮ガスを封入したダンパを利用したが、収縮動作時に所定の減衰力を発生させるものであれば、他の液体を封入した液体圧ダンパであっても、他の形式のダンパであってもよい。
（６）実施形態では、シリンダ内に圧縮ガスを封入して伸張方向に圧縮ガスの膨張力が働くようにしたが、コイルばね等の他の方式で伸張方向に働く力を発生させてもよい。また、圧縮ガス等を封入せず、伸張方向に力を働かせなくてもよい。
（７）各ベース部の形態は実施形態の形態に限らない。
（８）実施形態では、第１挿入片に爪部を設け、爪部を壁部の先端面に係止しているが、例えば、第１挿入片の先端部に板厚方向に貫通した貫通孔、又は窪みを設け、壁部に爪部を設ける。そして、この爪部を第１挿入片の貫通孔、又は窪みに係止してもよい。
【符号の説明】
【００６２】
Ｃ…天井、Ｆ…家具（物品）、１０…ダンパ、１５Ａ…ジョイント部（第１連結部）、１５Ａ…ジョイント部（第２連結部）、３０Ａ，３０Ｂ…ベース部（３０Ａ…第１ベース部、３０Ｂ…第２ベース部）、４５…ボルト（回動軸）、４９…挿入孔、４９Ａ…壁部、４９Ｃ…開口縁、５１…連結部、５３…垂下部、７０…角度規制部、７２…第１挿入片、７４…爪部、７６…第３傾斜面（傾斜面）、７７…第２挿入片
【図１】
2018157878.tif 000003
【図２】
2018157878.tif 000004
【図３】
2018157878.tif 000005
【図４】
2018157878.tif 000006
【図５】
2018157878.tif 000007